(57)【要約】      （修正有）【課題】バンパー部の前後で内径が同一であるチューブ本体を備える小腸留置チューブを容易に胃瘻に挿入することができる小腸留置チューブの挿入補助具を提供する。【解決手段】挿入補助具１は、把持部２と、該把持部２の先端に設けられ前記チューブ本体１１に挿入される挿入部４とを備える。該挿入部４は、該チューブ本体１１に挿入されたときに、少なくとも該挿入部４の先端部が前記バンパー部１２まで達する長さに形成されるとともに、該先端部の外周に外方に向かって変形自在であって、変形したときに該チューブ本体１１の内壁に圧接する圧接部４３を備える。【選択図】図４
2018094037.tif 000002
【特許請求の範囲】
【請求項１】
体表側から胃瘻を介して小腸に留置されるチューブ本体と、該チューブ本体の外周面の途中に設けられて胃の内壁に係止される可撓性のバンパー部とを備える小腸留置チューブを胃瘻に挿入する際に用いられる小腸留置チューブの挿入補助具であって、
把持部と、該把持部の先端に設けられ前記チューブ本体に挿入される挿入部とを備え、
該挿入部は、該チューブ本体に挿入されたときに、少なくとも該挿入部の先端部が前記バンパー部まで達する長さに形成されるとともに、該先端部の外周に外方に向かって変形自在であって、変形したときに該チューブ本体の内壁に圧接する圧接部を備えることを特徴とする小腸留置チューブの挿入補助具。
【請求項２】
請求項１記載の小腸留置チューブの挿入補助具において、
前記挿入部は中空筒状に形成されるとともに、該挿入部の内部を進退自在なロッドを備え、
前記圧接部は、弾性体からなり、前記挿入部の該圧接部より先端側が前記ロッドの先端部に固定され、該ロッドが該挿入部の内部を相対的に後退したときに外方に向かって変形することを特徴とする小腸留置チューブの挿入補助具。
【請求項３】
請求項２記載の小腸留置チューブの挿入補助具において、
前記圧接部は、前記挿入部の先端に軸方向に沿って設けられた複数のスリットによって分割されていて前記ロッドが該挿入部の内部を相対的に後退したときに外方に向かって夫々屈曲する複数の板状部からなることを特徴とする小腸留置チューブの挿入補助具。
【発明の詳細な説明】
【技術分野】
【０００１】
本発明は、小腸留置チューブを胃に挿入する際に用いられる挿入補助具に関する。
【背景技術】
【０００２】
近年、食物を経口摂取できない患者のために、患者の腹部に体外から胃内に貫通した胃瘻を穿設し、胃瘻に胃瘻チューブを挿入して胃内に直接栄養物を供給することが行われている。前記胃瘻チューブとして、例えば、チューブ本体と、チューブ本体の先端に設けられて胃の内壁に係止される可撓性のバンパー部と、チューブ本体の基端部に設けられて体表に係止される体表係止部とを備えるものが知られている。
【０００３】
また、このような前記胃瘻チューブを胃瘻に挿入する際に用いられる、棒状の挿入補助具が知られている（例えば、特許文献１参照）。
【０００４】
前記棒状の挿入補助具を用いて、前記胃瘻チューブを胃瘻に挿入する際には、まず前記挿入補助具をチューブ本体内に挿入する。そして、チューブ本体の先端の内壁に、チューブ本体の軸線に向かって内側に突出する係止部を設けておき、該係止部に前記バンパー部の先端を係合させる。そこから、さらに押し込むことによりバンパー部をその軸線に沿って先端方向に向かって細長く変形させ、この状態で前記胃瘻チューブを胃瘻に挿入する。次いで、胃瘻に挿入されたバンパー部が胃内に達したら、挿入補助具をチューブ本体から抜き去ることにより、バンパー部を原状に復帰させて胃の内壁に係止することができる。
【０００５】
一方、十二指腸から続く小腸の一部、例えば空腸に直接薬剤、栄養等を投与するために、小腸留置チューブが用いられている。前記小腸留置チューブは、前記胃瘻チューブにおいて、前記チューブ本体を前記バンパー部の先にさらに延長した形状を備えている。
【先行技術文献】
【特許文献】
【０００６】
【特許文献１】特開２００４−２６１５６６号公報
【発明の概要】
【発明が解決しようとする課題】
【０００７】
前記小腸留置チューブは、基本的な形状が前記胃瘻チューブと共通しているので、前記胃瘻チューブと同様の挿入補助具によって胃瘻に挿入することが考えられる。ところが、前記小腸留置チューブに前記挿入補助具の先端が係止される係止部を形成すると、挿入補助具を抜き去った後、チューブ本体内を介して薬剤、栄養等を投与する際に、該係止部により薬剤、栄養等の流れが妨げられるという問題がある。
【０００８】
本発明は、かかる不都合を解消して、係止部を有さない小腸留置チューブを容易に胃瘻に挿入することができる小腸留置チューブの挿入補助具を提供することを目的とする。
【課題を解決するための手段】
【０００９】
かかる目的を達成するために、本発明の小腸留置チューブの挿入補助具は、体表側から胃瘻を介して小腸に留置されるチューブ本体と、該チューブ本体の外周面の途中に設けられて胃の内壁に係止される可撓性のバンパー部とを備える小腸留置チューブを胃瘻に挿入する際に用いられる小腸留置チューブの挿入補助具であって、把持部と、該把持部の先端に設けられ前記チューブ本体に挿入される挿入部とを備え、該挿入部は、該チューブ本体に挿入されたときに、少なくとも該挿入部の先端部が前記バンパー部まで達する長さに形成されるとともに、該先端部の外周に外方に向かって変形自在であって、変形したときに該チューブ本体の内壁に圧接する圧接部を備えることを特徴とする。
【００１０】
本発明の小腸留置チューブの挿入補助具（以下、挿入補助具と略記する）は、前記チューブ本体と、前記バンパー部とを備える小腸留置チューブを胃瘻に挿入する際に用いられる。
【００１１】
本発明の挿入補助具は、前記把持部の先端に設けられた前記挿入部の先端部の外周に、外方に向かって変形自在の圧接部を備えている。そこで、本発明の挿入補助具は、前記挿入部を前記小腸留置チューブの前記チューブ本体に挿入し、その先端部が少なくとも前記バンパー部を超える部分まで達したときに、前記圧接部を外方に向かって変形させることにより該圧接部を該チューブ本体の内壁に圧接させる。
【００１２】
そして、チューブ本体を先端から胃瘻に挿入していき、前記圧接部で前記チューブ本体の内壁に圧接させた状態で、本発明の挿入補助具によって小腸留置チューブを押し込むことにより、可撓性を有するバンパー部をその軸線に沿って基端方向に向かって細長く変形させることができる。従って、本発明の挿入補助具によれば、係止部を有さない小腸留置チューブであっても容易に胃瘻に挿入することができる。
【００１３】
以上のとおり、本発明の挿入補助具によれば、前記バンパー部を細長く変形させて前記小腸留置チューブを胃瘻に挿入し、該バンパー部が胃内に達することにより、バンパー部を原状に復帰させて胃の内壁に係止することができる。その後、本発明の挿入補助具は、前記圧接部の変形を原状に復帰させ前記チューブ本体の内壁に対する圧接を解除することにより該チューブ本体から抜き去ることができる。
【００１４】
本発明の挿入補助具において、前記挿入部は中空筒状に形成されるとともに、該挿入部の内部を進退自在なロッドを備え、前記圧接部は、弾性体からなり、前記挿入部の該圧接部より先端側が前記ロッドの先端部に固定され、該ロッドが該挿入部の内部を相対的に後退したときに外方に向かって変形するよう構成することができる。
【００１５】
前記構成によれば、前記挿入部を前記小腸留置チューブの前記チューブ本体に挿入し、その先端部が少なくとも前記バンパー部まで達したときに、前記挿入部に対して前記ロッドを後退させる。このようにすると、前記ロッドの先端は、挿入部の先端部に固定されているので、該挿入部の先端部が基端部に近づけられる方向、即ち、挿入部の長さが短くなる方向につぶされる圧力がかかる。この結果、圧接部は弾性体からなるので、外方に向かって変形されてチューブ本体の内壁を圧接する。
【００１６】
また、前記構成によれば、前記挿入部に対して前記ロッドを前進させると、前記圧接部はそれ自体の弾性により原状に復帰するので、前記チューブ本体の内壁に対する圧接を解除することができる。
【００１７】
さらに、上記構成を備える挿入補助具において、前記圧接部は、前記挿入部の先端に軸方向に沿って設けられた複数のスリットによって分割されていて前記ロッドが該挿入部の内部を相対的に後退したときに外方に向かって夫々屈曲する複数の板状部からなるよう構成することができる。
【００１８】
前記構成によれば、前記挿入部の先端に軸方向に沿って複数のスリットを設けることにより、前記挿入部の先端部を分割することで、複数の板状部が形成される。そして、この各板状部は弾性体からなるので、ロッドが挿入部の内部を相対的に後退すると、外方に向かって夫々屈曲してチューブ本体の内壁を圧接する。
【図面の簡単な説明】
【００１９】
【図１】小腸留置チューブと、本発明の小腸留置チューブの挿入補助具との一構成例を示す斜視図。
【図２】図１に示す本発明の挿入補助具の断面図
【図３】Ａは本発明の挿入補助具をチューブ本体に挿入した状態を示す断面図、Ｂは本発明の挿入補助具の圧接部をチューブ本体の内壁に圧接した状態を示す断面図。
【図４】本発明の挿入補助具を用いて小腸留置チューブを胃瘻に挿入する方法を示し、Ａは初期状態の模式的断面図、Ｂは小腸留置チューブを胃瘻に挿入する状態を示す模式的断面図、Ｃは小腸留置チューブの挿入が完了した状態を示す模式的断面図。
【発明を実施するための形態】
【００２０】
次に、添付の図面を参照しながら本発明の実施の形態についてさらに詳しく説明する。
【００２１】
図１に示す本実施形態のオブチュレーター（挿入補助具）１は、小腸留置チューブ１０を図示しない胃瘻に挿入する際に用いられる。まず、本実施形態のオブチュレーター（挿入補助具）１が用いられる小腸留置チューブ１０について説明する。
【００２２】
図１に示すように、小腸留置チューブ１０は、チューブ本体１１と、チューブ本体１１の外周面の途中に設けられた可撓性を有するシリコーンゴム製のバンパー部１２と、チューブ本体１１の基端に径方向外方に延設された体表係止部１３とからなる。チューブ本体１１はバンパー部１２の前後で同一の内径を備えている。また、体表係止部１３にはチューブ本体１１に連通するポート１４を閉塞する栓体１５が連設されている。
【００２３】
小腸留置チューブ１０において、バンパー部１２は、先端方向に向かってドーム状に拡径するドーム壁部１６と、チューブ本体１１に固定された環状の固定部１７とを備えている。ドーム壁部１６は、平面視円形状に形成されており、その中央部に形成された挿通孔１８には、チューブ本体１１が挿通されている。挿通孔１８は、その内径がチューブ本体１１の外径よりも大きく形成されており、これにより、ドーム壁部１６はチューブ本体１１の長手方向への移動が許容されている。
【００２４】
また、ドーム壁部１６と固定部１７とは、周方向に所定間隔を存して設けられた複数（本実施形態では４つ）の連結部１９により連結されている。各連結部１９は湾曲する帯状に形成されており、ドーム壁部１６と固定部１７とを一体に連結している。ドーム壁部１６と連結部１９とは同じ肉厚で形成されているが、その形状の違いにより連結部１９がドーム壁部１６よりも撓みやすくなっている。
【００２５】
次に、本実施形態のオブチュレーター（挿入補助具）１について説明する。図１及び図２に示すように、オブチュレーター１は、円筒状の把持部２と、把持部２の内部に進退自在に挿入される円筒状の押出部３と備える。押出部３の先端には、把持部２の先端から突出する円筒状の挿入部４が連設されている。なお、本実施形態では、押出部３及び挿入部４は円筒状に形成されているが、本発明はこれに限られず、角筒状など筒状であればよい。
【００２６】
押出部３及び挿入部４の内部にはロッド５が進退自在に挿通されている。このロッド５は、把持部２の内部に固定されている。これにより、把持部２の内部を押出部３及び挿入部４が進退すると、ロッド５が押出部３及び挿入部４の内部を相対的に進退する。
【００２７】
以上の把持部２、押出部３、挿入部４及びロッド５の中心軸は一致しているため、以下、基端から先端に向かう方向を単に軸方向という。
【００２８】
把持部２は、合成樹脂製の中空円筒状からなり、把持部２の軸心を境に左右対称に指掛け部２１，２１が設けられている。
【００２９】
把持部２の外径はポート１４の内径以上に形成されている。また、把持部２の先端側には、外径がポート１４の内径以下の小径部２２が段差部２３を介して設けられている。
【００３０】
把持部２の内部は、軸方向に押出部３が進退自在な第１内部通路２４となっている。
【００３１】
第１内部通路２４の先端は、前記小径部２２によって塞がれている。小径部２２は、把持部２の軸心に沿って貫通孔２５が設けられている。貫通孔２５は、挿入部４の外径以上かつ押出部３の外径未満に形成されている。これにより、把持部２の先端から、挿入部４の突出は許容され、押出部３の突出は制限されている。
【００３２】
第１内部通路２４の中央部には、一対の柱部２６，２６が設けられている。軸方向と指掛け部２１，２１を結ぶ線とに直交する方向を上下方向と定義すると、柱部２６，２６は、ロッド５を挟んだ状態で、第１内部通路２４の上下面を結び、軸方向に延びている。ロッド５はこの柱部２６，２６に挟まれた状態で固定されている。
【００３３】
なお、柱部２６は、ロッド５を支持できればよいため、第１内部通路２４の上面から下面まで達しなくても、一方面から軸心を超える程度の高さを持っていればよい。また、柱部２６の個数に限定はなく、１つの柱部にロッド５を固定してもよく、上面及び下面から夫々２つずつ、合計４つの柱部２６を設けてロッド５を挟持してもよい。
【００３４】
以上の把持部２は、本実施形態では、射出成形によって、上下２つのパーツからなり、組立可能になっている。
【００３５】
押出部３は、合成樹脂製の中空円筒状からなり、基端には操作部３１が設けられている。操作部３１は、正面視でＯ字状に形成されている。操作部３１を軸方向に操作することにより、押出部３及び挿入部４は、前記第１内部通路２４内を進退する。
【００３６】
押出部３の内部は、軸方向にロッド５が相対的に進退自在な第２内部通路３２となっている。第２内部通路３２のうち、柱部２６，２６に対応する位置には、上下方向に貫通して軸方向に延びる溝部３３が設けられている。溝部３３の幅（図２の上下方向）は、柱部２６，２６の幅以上に形成されている。これにより、操作部３１を操作した際、溝部３３の内部において柱部２６，２６の相対的な進退が許容される。
【００３７】
押出部３の先端には孔部３４が設けられており、この孔部３４に挿入部４の基端が差し込まれて支持されている。
【００３８】
挿入部４は、合成樹脂製の中空円筒状の弾性部材からなり、その外径はチューブ本体１１の内径未満であるためチューブ本体１１に挿入可能である。
【００３９】
挿入部４の内部は、前記第２内部通路３２とは連通されて、軸方向にロッド５が相対的に進退自在な第３内部通路４１となっている。
【００４０】
挿入部４の先端部には、複数（本実施形態では４つ）のスリット４２が形成されている。これにより、該先端部は、円筒が分割されて形成された瓦状（本発明の板状部に相当）の圧接部４３が複数（本実施形態では４つ）形成されている。
【００４１】
挿入部４は、同じ肉厚の円筒状に形成されているが、スリット４２で分割されて細くなっている形状の相違によって、圧接部４３は他の領域より撓みやすくなっている。なお、本実施形態では、挿入部４全体を弾性部材によって形成したが、本発明はこれに限られるものではなく、圧接部４３が弾性変形可能であればよい。
【００４２】
挿入部４は、小腸留置チューブ１０のチューブ本体１１に挿入したとき、少なくとも圧接部４３がバンパー部１２の基端を超える位置、より好ましくは圧接部４３が少なくとも固定部１７まで達する長さを備えるよう形成されている。
【００４３】
ロッド５の先端には、挿入部４の先端開口の内径より大径の大径部５１が設けられ、挿入部４の先端に掛止されている。なお、大径部５１を設けることなく、ロッド５の先端と挿入部４の先端とを接着等により固定することもできる。
【００４４】
次に、図３Ａ及び図３Ｂを参照して、本実施形態のオブチュレーター１を小腸留置チューブ１０に装着する際のオブチュレーター１の作動について説明する。
【００４５】
まず、把持部２を把持して、小腸留置チューブ１０の体表係止部１３に形成されたポート１４から、挿入部４をチューブ本体１１内に挿入していく。これにより、小径部２２まではポート１４の内部まで挿入され、把持部２の段差部２３はポート１４の端部に接して、オブチュレーター１のさらなる挿入が制限される。
【００４６】
このとき、挿入部４は前述した所定の長さを有するため、圧接部４３は、チューブ本体１１内において、固定部１７に対応する位置または固定部１７より先端側に配置される。
【００４７】
次に、把持部２の指掛け部２１，２１に指を掛け、操作部３１を先端側に押し込む。これにより、把持部２と把持部２に固定されたロッド５とに対して、押出部３及び挿入部４が前進しようとする。しかしながら、挿入部４は、ロッド５の大径部５１によって掛止されているので、挿入部４は相対的に軸方向の両側から軸が短くなる方向に圧せられた状態になる。このとき、挿入部４は前述のとおり弾性変形可能であるため、分割により幅狭になっている圧接部４３は、図３Ｂに示すように、外方に向けて弾性的に変形される。本実施形態では、圧接部４３の先端、中央部及び基端に周方向に沿って夫々折目線が設けられているため、圧接部４３は断面視Ｖ字状に屈曲される。
【００４８】
この結果、圧接部４３がチューブ本体１１の内壁に圧接され、オブチュレーター１が小腸留置チューブ１０に装着される。
【００４９】
次に、図４Ａ乃至図４Ｃを参照して、オブチュレーター１を用いて小腸留置チューブ１０を胃瘻に挿入する方法について説明する。
【００５０】
オブチュレーター１を用いて小腸留置チューブ１０を胃瘻に挿入するときには、まず、図４Ａに示すように、オブチュレーター１を装着した小腸留置チューブ１０のチューブ本体１１の先端側を胃瘻Ｇに挿入し、バンパー部１２を胃瘻Ｇの体表Ｂ側の開口部に当接する。
【００５１】
次に、図４Ｂに示すように、オブチュレーター１によりチューブ本体１１を胃壁Ｓ側に押圧すると、シリコーンゴムからなり可撓性を有するバンパー部１２が体表Ｂに押されて挿通孔１８がチューブ本体１１に沿って上方に移動し、バンパー部１２が細長く変形する。そこで、オブチュレーター１によりさらにチューブ本体１１を胃壁Ｓ側に押圧することにより、細長く変形されたバンパー部１２が胃瘻Ｇから胃壁Ｓ内、すなわち胃内に押入される。
【００５２】
このとき、挿入部４の圧接部４３は、チューブ本体１１内において、バンパー部１２の先端側に配される固定部１７より先端側を圧接しているため、バンパー部１２を体表Ｂに押しつけたときに確実に細長く変形させることができる。
【００５３】
次に、バンパー部１２は胃壁Ｓ内に押入されると、それ自体の弾性により原状に復帰し、胃壁Ｓの内壁に係止され、小腸留置チューブ１０の胃瘻Ｇへの挿入が完了する。
【００５４】
そこで、図４Ｃに示すように、操作部３１を基端側に引っ張り押出部３及び挿入部４を後退させ、圧接部４３を原状に復帰させ、これにより、チューブ本体１１の内壁に対する圧接を解除する。そして、オブチュレーター１を図４Ｃに矢示するようにチューブ本体１１から抜き去る。
【００５５】
尚、本実施形態のオブチュレーター１は、小腸留置チューブ１０に対するだけではなく、胃瘻チューブを胃瘻に挿入する際にも用いることができる。
【符号の説明】
【００５６】
１…オブチュレーター（挿入補助具）、  ２…把持部、  ４…挿入部、  ５…ロッド、  ６…花弁状部（圧接部）、  １０…小腸留置チューブ、  １１…チューブ本体、  １２…バンパー部、  ４２…スリット、  ４３…圧接部４３。
【図１】
2018094037.tif 000003
【図２】
2018094037.tif 000004
【図３】
2018094037.tif 000005
【図４】
2018094037.tif 000006